(57)【要約】【課題】煩雑な操作を必要とせず、ユーザの予定に関連し、ユーザにとって有用な関連情報を、ユーザに提示する。【解決手段】個人又はグループのプライベートな情報を参照することなく得られるパブリックなお奨め情報を取得し、パブリックなお奨め情報を表示部（６５）に表示させ、あるタイミングにおいて、個人又はグループのプライベートな情報を参照して得られるプライベートなお奨め情報を更に表示部（６５）に表示可能に構成されている。【選択図】図１
2020053764.tif 000002
【特許請求の範囲】
【請求項１】
通信部と、表示部と、制御部とを備えている端末装置であって、
上記制御部は、
個人又はグループのプライベートな情報を参照することなく得られるパブリックなお奨め情報を、上記通信部を介して取得し、
上記パブリックなお奨め情報を上記表示部に表示させ、
あるタイミングにおいて、個人又はグループのプライベートな情報を参照して得られるプライベートなお奨め情報を更に上記表示部に表示可能に構成されている
ことを特徴とする端末装置。
【請求項２】
上記制御部は、上記あるタイミングにおいて、
上記パブリックなお奨め情報を含む複数のカードと、上記プライベートなお奨め情報を含む少なくとも１枚のカードとを、それぞれのカードに関連付けられた優先度に応じた表示位置に表示するものであり、
上記プライベートなお奨め情報を含むカードを、上記パブリックなお奨め情報を含む複数のカードよりも優先順位が高い表示位置に表示する
ことを特徴とする請求項１に記載の端末装置。
【請求項３】
上記制御部は、上記通信部を介して、
上記プライベートなお奨め情報を含まない一方で、上記プライベートなお奨め情報を表示する表示期間を示す期間情報を含んでいる一群のデータを取得し、
上記制御部は、上記期間情報によって指定される表示期間における少なくとも何れかのタイミングで上記プライベートなお奨め情報を表示する
ことを特徴とする請求項１又は２に記載の端末装置。
【請求項４】
上記制御部は、
上記個人又はグループのプライベートな情報を、当該端末装置において実行される他のアプリケーションから取得し、
上記個人又はグループのプライベートな情報を参照して、上記プライベートなお奨め情報を生成する
ことを特徴とする請求項１から３の何れか１項に記載の端末装置。
【請求項５】
端末装置と、サーバとを含む情報処理システムであって、
上記サーバは、
個人又はグループのプライベートな情報を参照することなく得られるパブリックなお奨め情報を、上記端末装置に送信し、
上記端末装置は、
端末通信部と、表示部と、端末制御部とを備えており、
上記端末制御部は、
上記パブリックなお奨め情報を、上記端末通信部を介して取得し、
上記パブリックなお奨め情報を上記表示部に表示させ、
あるタイミングにおいて、個人又はグループのプライベートな情報を参照して得られるプライベートなお奨め情報を更に上記表示部に表示可能に構成されている
ことを特徴とする情報処理システム。
【請求項６】
個人又はグループのプライベートな情報を参照することなく得られるパブリックなお奨め情報を送信する送信ステップと、
上記パブリックなお奨め情報を、端末装置にて取得する取得ステップと、
上記取得ステップにて取得した上記パブリックなお奨め情報を表示部に表示させる表示ステップと、
を含み、
上記表示ステップでは、
あるタイミングにおいて、個人又はグループのプライベートな情報を参照して得られるプライベートなお奨め情報を更に上記表示部に表示する
ことを特徴とする表示方法。
【請求項７】
端末装置と、第１サーバと、第２サーバとを含む情報処理システムであって、
上記第１サーバは、
個人又はグループのプライベートな情報を参照することなく得られるパブリックなお奨め情報と、
個人又はグループのプライベートな情報を参照して得られるプライベートなお奨め情報を含まない一方で、上記プライベートなお奨め情報を表示する表示期間を示す期間情報を含んでいる一群のデータと、を上記端末装置に送信し、
上記第２サーバは、
個人又はグループのプライベートな情報を上記端末装置に送信し、
上記端末装置は、
端末通信部と、表示部と、端末制御部とを備えており、
上記端末制御部は、
上記パブリックなお奨め情報と、上記一群のデータと、上記個人又はグループのプライベートな情報とを、上記端末通信部を介して取得し、
上記パブリックなお奨め情報を上記表示部に表示させ、
上記一群のデータに含まれる上記期間情報によって指定される表示期間における少なくとも何れかのタイミングで、個人又はグループのプライベートな情報を参照して得られるプライベートなお奨め情報を更に上記表示部に表示する
ことを特徴とする情報処理システム。
【請求項８】
個人又はグループのプライベートな情報を参照することなく得られるパブリックなお奨め情報を送信する第１の送信ステップと、
個人又はグループのプライベートな情報を参照して得られるプライベートなお奨め情報を含まない一方で、上記プライベートなお奨め情報を表示する表示期間を示す期間情報を含んでいる一群のデータを送信する第２の送信ステップと、
上記パブリックなお奨め情報、及び、上記一群のデータを、端末装置にて取得する取得ステップと、
上記取得ステップにて取得した上記パブリックなお奨め情報を表示部に表示させる表示ステップと、
を含み、
上記表示ステップでは、
上記一群のデータに含まれる上記期間情報によって指定される表示期間における少なくとも何れかのタイミングで、上記プライベートなお奨め情報を更に上記表示部に表示する
ことを特徴とする表示方法。
【請求項９】
請求項１に記載の端末装置としてコンピュータを機能させるためのプログラムであって、上記制御部としてコンピュータを機能させるためのプログラム。
【発明の詳細な説明】
【技術分野】
【０００１】
本発明は、端末装置、情報処理システム、表示方法、及びプログラムに関する。
【背景技術】
【０００２】
従来、ユーザの状況に応じて、ユーザの予定上の空き時間に、遂行すべきタスクをユーザに推奨するスケジュール管理技術が知られている（例えば、特許文献１参照）。
【先行技術文献】
【特許文献】
【０００３】
【特許文献１】特開２００６−１５５３６８号公報（２００６年６月１５日公開）
【発明の概要】
【発明が解決しようとする課題】
【０００４】
一方で、ユーザ又はユーザを含むグループには、パブリックなお奨め情報と、プライベートなお奨め情報とを煩雑な操作を必要とせずに確認したいという潜在的なニーズがあった。ところが事業者が異なるサービスに対し、ユーザの代わりに情報を参照するためにはユーザにＩＤやパスワードを登録してもらうなど、煩雑な手続きが必要なうえに、ＩＤ等重要な情報を使用許諾するというセキュリティ上の問題もあった。
【０００５】
本発明の一態様は、上述した事情に鑑みてなされたものであり、煩雑な操作を必要とせず、パブリックなお奨め情報と、プライベートなお奨め情報とをユーザに提示する技術を実現することを目的とする。
【課題を解決するための手段】
【０００６】
上記の課題を解決するために、本発明の一態様に係る端末装置は、通信部と、表示部と、制御部とを備えている端末装置であって、上記制御部は、個人又はグループの情報を参照することなく得られるパブリックなお奨め情報を、上記通信部を介して取得し、上記パブリックなお奨め情報を上記表示部に表示させ、あるタイミングにおいて、個人又はグループの情報を参照して得られるプライベートなお奨め情報を更に上記表示部に表示可能に構成されている。
【発明の効果】
【０００７】
本発明の一態様によれば、煩雑な操作を必要とせず、パブリックなお奨め情報と、プライベートなお奨め情報とをユーザに提示することができる。
【図面の簡単な説明】
【０００８】
【図１】本発明の実施の形態に係るテレビジョン受像器、情報処理装置、及びスケジュールサーバ、の概略構成を示すブロック図である。
【図２】テレビジョン受像器の構成を模式的に示した図である。
【図３】情報処理装置、テレビジョン受像器、及びスケジュールサーバ間での情報の流れを示すシーケンス図である。
【図４】（ａ）はパブリックなお奨め情報の表示例を示す図であり、（ｂ）プライベートなお奨め情報の表示例を示す図である。
【図５】パブリックカードの一例を示す図である。
【図６】プライベートカードの一例を示す図である。
【図７】情報処理装置、及びスケジュールサーバとして利用可能なコンピュータの構成を例示したブロック図である。
【発明を実施するための形態】
【０００９】
以下、本発明の実施の形態について、詳細に説明する。
【００１０】
図１は、本発明の実施の形態に係るテレビジョン受像器（端末装置）５０と、テレビジョン受像器５０に接続される情報処理装置１と、スケジュールサーバ８０と、の概略構成を示すブロック図である。図２は、テレビジョン受像器５０の構成を模式的に示した図である。
【００１１】
〔テレビジョン受像器５０の構成〕
図１、及び図２に示すように、テレビジョン受像器５０は、受像器通信部５５、受像器制御部６０、表示部６５、操作部６６、及び受像器記憶部６７を備えている。テレビジョン受像器５０は、不図示のチューナを備え、チューナを介して受信したデータストリームに応じた画像を表示部６５に表示する。表示部６５は、例えば、液晶ディスプレイ、有機ＥＬ（Electro Luminescence）ディスプレイ（ＯＬＥＤ）、及びプラズマディスプレイ等のディスプレイデバイスである。
【００１２】
なお、本実施形態では、放送波を受信するチューナを備えたテレビジョン受像器５０を、端末装置の一例としてあげて説明しているが、チューナを備えない表示装置等の端末装置を、情報処理装置１、及びスケジュールサーバ８０と、接続して、本実施形態の構成を実現してもよい。また、本実施形態に係る端末装置は、タブレットＰＣやスマートフォンのように、携帯型の端末装置であってもよい。
【００１３】
操作部６６は、テレビジョン受像器５０に一体に設けられた不図示の操作ボタン等であってもよいし、テレビジョン受像器５０とは別体のリモコン（リモートコントローラ）やスマートフォン等であってもよい。
【００１４】
受像器記憶部６７は、受像器制御部６０で用いられる種々のデータを格納するストレージである。受像器記憶部６７は、例えば、内容の書き換えが可能な不揮発性メモリである、ＥＰＲＯＭ、ＥＥＰＲＯＭ（登録商標）、ＨＤＤ、フラッシュメモリなどのいずれか１つ、又はそれらの１つ以上の組み合わせによって実現される。
【００１５】
受像器通信部５５は、無線通信または有線通信によって、インターネット等のネットワークに接続可能に構成され、ネットワークを介して情報処理装置１、及びスケジュールサーバ８０に接続される。受像器通信部５５は、テレビジョン受像器５０が有する地域情報を外部に送信する送信部として機能する。
【００１６】
受像器制御部６０は、テレビジョン受像器５０の各部を統括的に制御する機能を備えている演算装置である。
【００１７】
〔受像器制御部６０の機能ブロックについて〕
受像器制御部６０は、スケジュール管理部６１、関連情報取得部６２、お奨め情報管理部６３、及び表示制御部６４を備えている。
【００１８】
（スケジュール管理部）
スケジュール管理部６１は、一例として、テレビジョン受像器５０が、スケジュールサーバ８０との間でデータ連携を行うためのスケジュール管理アプリケーションを実行することにより実現される。スケジュール管理部６１は、スケジュールに関するユーザ指示を受け付け、当該ユーザ（個人）又は当該ユーザを含むグループのスケジュールに関するプライベートなスケジュール情報を、受像器記憶部６７に記憶させる。また、当該プライベートなスケジュール情報を、スケジュールサーバ８０に送信し、スケジュールサーバ８０は、当該プライベートなスケジュール情報を取得し管理する。
【００１９】
ここで、プライベートなスケジュール情報の例としては、
・あるプライベートなイベント情報をスケジュールに登録したことを示す情報
・あるプライベートなイベント情報のスケジュール（日時、及び期間）を示す情報
・あるプライベートなイベント情報に関連付けられた場所（地域、地名、スポット名、又は緯度経度）を示す情報
・あるプライベートなイベント情報に関連付けられた他のユーザ、またはユーザを含むグループを示す情報
が挙げられ、プライベートなイベント情報とは、例えば、
・ユーザ又はユーザを含むグループの構成員の誕生日
・ユーザ又はユーザを含むグループの構成員の入学式や卒業式
・ユーザ又はユーザを含むグループの構成員の仕事の予定
・ユーザ又はユーザを含むグループの構成員の所定の場所への訪問の予定
・ユーザ又はユーザを含むグループの構成員の他のユーザと会う予定
などが挙げられるが、これらの限定されるものではない。
【００２０】
なお、スケジュールサーバ８０は、多数のスケジュール利用ＩＤのそれぞれについて個別のプライベートなスケジュール情報を管理しており、スケジュール管理部６１からは、上記スケジュール管理アプリケーションに入力されたスケジュール利用ＩＤに関連付けられたスケジュール情報を取得する。したがって、上述した「当該ユーザ又は当該ユーザを含むグループのスケジュールに関するプライベートなスケジュール情報」とは、一例として、「当該ユーザ又は当該ユーザを含むグループが利用するスケジュール利用ＩＤに関連付けられたプライベートなスケジュール情報」のことを指す。
【００２１】
なお、ユーザを含むグループとは、当該ユーザと同じスケジュール利用ＩＤを使用している構成員からなるグループのことを指し、例えば、ユーザが属する家族や、ユーザとその同居人とからなるグループ等が挙げられる。
【００２２】
また、図示は省略するが、ユーザは、例えばＰＣやスマートフォン等の端末装置から、共通のスケジュール利用ＩＤを用いて、プライベートなスケジュール情報をスケジュールサーバ８０に送信し、管理することができても良い。スケジュール管理部６１は、スケジュール管理アプリケーションを所定の期間毎に実行することにより、スケジュールサーバ８０からユーザ又は当該ユーザを含むグループが利用するスケジュール利用ＩＤに関連付けられたプライベートなスケジュール情報を取得して、受像器記憶部６７に記憶されているプライベートなスケジュール情報を更新してもよい。
【００２３】
（関連情報取得部）
関連情報取得部６２は、一例として、テレビジョン受像器５０が、情報処理装置１との間でデータ連携を行うためのアプリケーションを実行することによって実現される。
【００２４】
関連情報取得部６２は、例えば、スケジュール管理部６１がスケジュールに登録したイベント情報の内容に応じて、イベント情報に関連する情報である関連情報を外部から、受像器通信部５５を介して取得する。取得した関連情報は、受像器記憶部６７に記憶される。
【００２５】
本実施形態では、関連情報取得部６２は、イベント情報をスケジュール管理部６１から取得する。一方で、関連情報取得部６２は、関連情報を情報処理装置１から取得する。関連情報取得部６２は、関連情報を受像器記憶部６７に記憶された情報から抽出して取得してもよい。
【００２６】
（お奨め情報管理部）
お奨め情報管理部６３は、一例として、表示部６５に表示するお奨め情報を管理するためのアプリケーションを実行することによって実現される。
【００２７】
お奨め情報管理部６３は、情報処理装置１から、ユーザ又は当該ユーザを含むグループのプライベートな情報を参照することなく得られるパブリックなお奨め情報を、受像器通信部５５を介して取得する。ここで、「プライベートな情報」の一例として、上述した「プライベートなイベント情報」が挙げられる。
【００２８】
また、お奨め情報管理部６３は、情報処理装置１から、ユーザ又は当該ユーザを含むグループのプライベートなお奨め情報を含まない一方で、当該プライベートなお奨め情報を表示する表示期間を示す期間情報を含んでいる一群のデータを、受像器通信部５５を介して取得する。
【００２９】
上記パブリックなお奨め情報、及び、上記一群のデータの例については後述する。
【００３０】
また、お奨め情報管理部６３は、ユーザ又は当該ユーザを含むグループのプライベートな情報を、スケジュール管理部６１として機能するアプリケーションから取得し、取得したプライベートな情報を参照して、ユーザ又は当該ユーザを含むグループのプライベートなお奨め情報を生成する。ここで、お奨め情報管理部６３は、関連情報取得部６２が取得した、プライベートなイベント情報に関連する関連情報を参照してプライベートなお奨め情報を生成してもよい。
【００３１】
なお、お奨め情報管理部６３によるスケジュール管理部６１からの情報の取得は、お奨め情報管理部６３として機能するアプリケーションが、スケジュール管理部６１として機能するアプリケーションのＡＰＩをコールすることによって行う構成とすることができる。
【００３２】
（表示制御部）
表示制御部６４の少なくとも一部の機能は、一例として、表示部６５に表示する表示内容を制御するためのアプリケーションを実行することによって実現される。
【００３３】
表示制御部６４は、お奨め情報管理部６３が取得したパブリックなお奨め情報を表示部６５に表示させる。
【００３４】
また、表示制御部６４は、お奨め情報管理部６３が生成したプライベートなお奨め情報を、あるタイミングにおいて、更に表示部６５に表示可能に構成されている。
【００３５】
表示制御部６４は、お奨め情報管理部６３が取得した期間情報によって指定される表示期間における少なくとも何れかのタイミングで、プライベートなお奨め情報を表示する。表示制御部６４が表示部６５に表示する画面の具体例は後述する。
【００３６】
これらの構成によれば、煩雑な操作を必要とせず、ユーザ又は当該ユーザを含むグループのプライベートな情報を参照することなく得られるパブリックなお奨め情報と、ユーザ又は当該ユーザを含むグループのプライベートな情報に関連するプライベートなお奨め情報とを、ユーザに提示することができる。
【００３７】
〔情報処理装置１の構成〕
情報処理装置１は、通信部２０、制御部１０、及び記憶部３０を備えている。
【００３８】
通信部２０は、無線通信または有線通信によってテレビジョン受像器５０、及びスケジュールサーバ８０と通信する。なお、図１には、１つのテレビジョン受像器５０のみを示しているが、情報処理装置１は、通信部２０を介して、１又は複数のテレビジョン受像器５０と通信可能に構成されている。
【００３９】
制御部１０は、情報処理装置１の各部を統括的に制御する機能を備えている演算装置である。
【００４０】
制御部１０は、関連情報生成部１１、パブリックカード生成部１２、及びプライベートカード生成部１３を備えている。
【００４１】
関連情報生成部１１は、一例として、情報処理装置１が、テレビジョン受像器５０との間でデータ連携を行うためのアプリケーションを実行することによって実現される。関連情報生成部１１は、詳細については後述するが、記憶部３０に記憶されている情報を参照して、対象のテレビジョン受像器５０に送信する関連情報を生成する。
【００４２】
関連情報生成部１１は、生成した関連情報を通信部２０を介してテレビジョン受像器５０に送信する。関連情報生成部１１は、予め設定された所定の時間に、毎日、関連情報を生成して、テレビジョン受像器５０に送信する。関連情報生成部１１は、テレビジョン受像器５０からのリクエストに応じて、関連情報を生成して、テレビジョン受像器５０に送信することができてもよい。また、関連情報生成部１１は、一日に複数回、関連情報を生成して、テレビジョン受像器５０に送信することができてもよい。情報処理装置１から、テレビジョン受像器５０が関連情報を受信する時間は、ユーザがテレビジョン受像器５０への操作で設定することができてもよい。
【００４３】
パブリックカード生成部１２は、一例として、情報処理装置１が、テレビジョン受像器５０との間でデータ連携を行うためのアプリケーションを実行することによって実現される。パブリックカード生成部１２は、ユーザ又は当該ユーザを含むグループのプライベートなスケジュール情報を参照することなく得られるパブリックなお奨め情報を含むパブリックカードを生成する。パブリックカードに含まれている情報をパブリックデータと称する。パブリックデータについては、後に詳述する。
【００４４】
パブリックカード生成部１２は、生成したパブリックカードを通信部２０を介してテレビジョン受像器５０に送信する。パブリックカード生成部１２は、予め設定された所定の時間に、毎日、パブリックカードを生成して、テレビジョン受像器５０に送信する。パブリックカード生成部１２は、テレビジョン受像器５０からのリクエストに応じて、パブリックカードを生成して、テレビジョン受像器５０に送信することができてもよい。また、パブリックカード生成部１２は、一日に複数回、パブリックカードを生成して、テレビジョン受像器５０に送信することができてもよい。情報処理装置１から、テレビジョン受像器５０がパブリックカードを受信する時間は、ユーザがテレビジョン受像器５０への操作で設定することができてもよい。
【００４５】
プライベートカード生成部１３は、一例として、情報処理装置１が、テレビジョン受像器５０との間でデータ連携を行うためのアプリケーションを実行することによって実現される。プライベートカード生成部１３は、ユーザ又は当該ユーザを含むグループのプライベートなお奨め情報を含まない一方で、当該プライベートなお奨め情報を表示する表示期間を示す期間情報を含んでいるプライベートカードを生成する。プライベートカードに含まれている情報をプライベートデータ（一群のデータ）と称する。プライベートデータについては、後に詳述する。
【００４６】
プライベートカード生成部１３は、生成したプライベートカードを通信部２０を介してテレビジョン受像器５０に送信する。プライベートカード生成部１３は、予め設定された所定の時間に、毎日、プライベートカードを生成して、テレビジョン受像器５０に送信する。プライベートカード生成部１３は、テレビジョン受像器５０からのリクエストに応じて、プライベートカードを生成して、テレビジョン受像器５０に送信することができてもよい。また、プライベートカード生成部１３は、一日に複数回、プライベートカードを生成して、テレビジョン受像器５０に送信することができてもよい。情報処理装置１から、テレビジョン受像器５０がプライベートカードを受信する時間は、ユーザがテレビジョン受像器５０への操作で設定することができてもよい。
【００４７】
記憶部３０は、制御部１０で用いられる種々のデータを格納するストレージである。記憶部３０は、例えば、内容の書き換えが可能な不揮発性メモリである、ＥＰＲＯＭ、ＥＥＰＲＯＭ（登録商標）、ＨＤＤ、フラッシュメモリなどのいずれか１つ、又はそれらの１つ以上の組み合わせによって実現される。
【００４８】
記憶部３０には、メタ情報３１、機器情報３２、視聴ログ３３、及び傾向情報３４が記憶されている。
【００４９】
メタ情報３１は、テレビ番組のコンテンツに関する情報であり、番組内で紹介された商品やお店の情報等を含んでいる。
【００５０】
機器情報３２は、情報処理装置１から情報の提供を受けるために予め登録された１又は複数のテレビジョン受像器５０に関する情報が含まれている。機器情報３２には、テレビジョン受像器５０のそれぞれに固有の端末ＩＤと、当該端末ＩＤのテレビジョン受像器５０を利用するユーザの会員ＩＤと、が含まれている。情報処理装置１の制御部１０は、端末ＩＤ、及びユーザの会員ＩＤの少なくとも何れかを用いて対象のテレビジョン受像器５０を識別する。
【００５１】
また、機器情報３２には、各テレビジョン受像器５０の設置場所を示す地域情報が含まれている。地域情報は、例えば、市町村名や、郵便番号、住所などの情報であってもよい。また、機器情報３２には、ユーザの性別や年齢、趣味等のプロフィール情報が含まれていてもよい。
【００５２】
情報処理装置１の制御部１０は、テレビジョン受像器５０が関連情報の提供を受ける対象機器として登録される際に、テレビジョン受像器５０の端末ＩＤ、ユーザの会員ＩＤ、及びテレビジョン受像器５０が設置される地域情報等の機器情報を、通信部２０を介して、テレビジョン受像器５０から取得する。情報処理装置１の制御部１０は、テレビジョン受像器５０から取得した機器情報を、夫々の端末ＩＤに対応付けて機器情報３２として記憶部３０に記憶する。
【００５３】
視聴ログ３３は、テレビジョン受像器５０から取得される、テレビジョン受像器５０の視聴履歴に関する情報であり、各テレビジョン受像器５０に端末ＩＤに対応付けて記憶されている。
【００５４】
傾向情報３４は、例えば、テレビジョン受像器５０から取得される、テレビジョン受像器の動作履歴を参照して取得できる情報である。傾向情報３４には、ユーザの会員ＩＤに対応付けられて、ユーザの過去の視聴履歴、及び機器の使用履歴に基づいて取得可能な、ユーザの視聴傾向（チャンネル、ジャンル、出演者等に関する傾向）、及び視聴時間帯（例えば、曜日毎の視聴時間帯の傾向）等に関する情報が含まれていてもよい。また、傾向情報３４には、ユーザの性別や年齢、趣味等のプロフィール情報が含まれていてもよい。
【００５５】
関連情報生成部１１は、記憶部３０に記憶されているメタ情報３１、機器情報３２、視聴ログ３３、及び傾向情報３４を参照して、対象のテレビジョン受像器５０に送信する関連情報を生成することができてもよい。メタ情報３１、機器情報３２、視聴ログ３３、及び傾向情報３４には、例えば、下記に示した情報が含まれている。
【００５６】
（メタ情報３１）
・番組名称
・番組のジャンル
・番組の出演者
・番組で紹介された商品
・番組で紹介された店舗
・番組で紹介された地域
・番組中に放送されたＣＭで紹介された商品
（機器情報３２）
・機器ＩＤ
・機器の種類
・機器のユーザのユーザＩＤ
・機器の設置位置（設置地域）
（視聴ログ３３）
・機器ＩＤ
・番組名称
・番組のジャンル
・日付（日にち、曜日、時間）
・放送地域
（傾向情報３４）
・ユーザＩＤ
・視聴履歴
・視聴傾向（テレビジョン受像器５０の操作履歴、及び稼働履歴）
・日付
・趣味
【００５７】
・興味
・性別
・年齢
関連情報生成部１１は、メタ情報３１を参照して、地域毎、ジャンル毎、出演者毎等の番組表を生成することができてもよい。
【００５８】
パブリックカード生成部１２は、記憶部３０に記憶されているメタ情報３１、テレビジョン受像器５０の地域情報、ユーザ又は当該ユーザを含むグループの視聴履歴、及びユーザ又は当該ユーザを含むグループの視聴傾向等の情報を参照して、ユーザ又は当該ユーザを含むグループに視聴をお奨めするテレビ番組の情報を含むパブリックカードを生成してもよい。またパブリックカード生成部１２は、記憶部３０に記憶されているユーザ又は当該ユーザを含むグループの視聴履歴、及びユーザ又は当該ユーザを含むグループの視聴傾向等の情報に応じて、ユーザ又は当該ユーザを含むグループにお奨めする優先度（お奨め順位）を示す情報を含むパブリックカードを複数生成してもよい。
【００５９】
プライベートカード生成部１３は、記憶部３０に記憶されているメタ情報３１、テレビジョン受像器５０の地域情報、ユーザ又は当該ユーザを含むグループの視聴履歴、及びユーザ又は当該ユーザを含むグループの視聴傾向等の情報を参照して、プライベートなお奨め情報を表示する表示期間を示す期間情報を含むプリベートカードを生成してもよい。
【００６０】
〔スケジュールサーバ８０の構成〕
スケジュールサーバ８０は、サーバ通信部８１、サーバ制御部９０、サーバ記憶部８５を備えている。
【００６１】
サーバ通信部８１は、無線通信または有線通信によってテレビジョン受像器５０と通信する。スケジュールサーバ８０は、サーバ通信部８１を介して、テレビジョン受像器５０からユーザ又はユーザを含むグループの構成員のプライベートなスケジュール情報を取得し、管理する。
【００６２】
サーバ制御部９０は、スケジュールサーバ８０の各部を統括的に制御する機能を備えている演算装置である。
【００６３】
サーバ記憶部８５には、イベント情報８６、及びスケジュール情報８７が記憶されている。
【００６４】
イベント情報８６には、スケジュール利用ＩＤに対応付けて、ユーザ又はユーザを含むグループの構成員のプライベートなイベント情報が記憶されている。また、イベント情報８６には、スケジュール利用ＩＤに対応付けられていないパブリックなイベント情報が記憶されていてもよい。パブリックなイベント情報には、例えば、地域に関する情報に対応付けて、祭り、催し、講習会、ごみ出し、お店のセールなどのイベントに関する情報が含まれていてもよい。
【００６５】
スケジュール情報８７には、スケジュール利用ＩＤに対応付けて、ユーザ又はユーザを含むグループの構成員のプライベートなイベント情報に関連するスケジュール情報が記憶されている。
【００６６】
スケジュールサーバ８０は、スケジュール管理などのウェブアプリケーション（カレンダーサービス）を提供する事業者によって運営されるサーバである。スケジュールサーバ８０は、テレビジョン受像器５０に対する操作によってユーザによって登録されるイベント情報と、当該イベント情報に関連するスケジュール情報とを、それぞれユーザのスケジュール利用ＩＤに対応付けてサーバ記憶部８５に記憶する。
【００６７】
〔情報の流れについて〕
図３は、情報処理装置１、お奨め情報管理部６３、スケジュール管理部６１、及びスケジュールサーバ８０間での情報の流れを示すシーケンス図である。
【００６８】
（ステップＳ１０１）
情報処理装置１の制御部１０は、パブリックカード生成部１２の機能により、パブリックカードを生成し、通信部２０を介して、パブリックカードをテレビジョン受像器５０に送信する。情報処理装置１の制御部１０は、予め設定された所定の時間に、複数のパブリックカードをテレビジョン受像器５０に送信する。
【００６９】
（ステップＳ１０２）
お奨め情報管理部６３は、受像器通信部５５を介してパブリックカードを受信する。
【００７０】
（ステップＳ１０３）
スケジュール管理部６１は、スケジュール情報取得リクエストを所定のタイミングでスケジュールサーバ８０に対して送信する。
【００７１】
（ステップＳ１０４）
スケジュールサーバ８０のサーバ制御部９０は、スケジュール情報取得リクエストをサーバ通信部８１を介して受信する。
【００７２】
（ステップＳ１０５）
スケジュールサーバ８０のサーバ制御部９０は、受信したスケジュール情報取得リクエストに含まれているスケジュールＩＤを参照して、サーバ記憶部８５に記憶されたスケジュール情報を送信する。
【００７３】
（ステップＳ１０６）
スケジュール管理部６１は、受像器通信部５５を介してスケジュール情報を受信する。
【００７４】
スケジュール管理部６１は、ステップＳ１０３〜ステップＳ１０６の処理を所定のタイミングで実行することによって、スケジュールサーバとの間でスケジュール情報を同期する。
【００７５】
（ステップＳ１０７）
情報処理装置１の制御部１０は、プライベートカード生成部１３の機能によりプライベートカードを生成し、通信部２０を介して、プライベートカードを送信する。
【００７６】
（ステップＳ１０８）
お奨め情報管理部６３は、受像器通信部５５を介してプライベートカードを受信する。
【００７７】
（ステップＳ１０９）
お奨め情報管理部６３は、プライベートカード内の条件（プライベートなお奨め情報を表示する表示期間を示す期間情報）に基づいて、ユーザ又はユーザを含むグループの構成員のプライベートなイベント情報に関連するスケジュール情報の提供をスケジュール管理部６１に対して要求する。
【００７８】
（ステップＳ１１０）
スケジュール管理部６１は、ユーザ又はユーザを含むグループの構成員のプライベートなイベント情報に関連するスケジュール情報をお奨め情報管理部６３に提供する。
【００７９】
（ステップＳ１１１）
お奨め情報管理部６３は、ユーザ又はユーザを含むグループの構成員のプライベートなイベント情報に関連するスケジュール情報を取得する。
【００８０】
（ステップＳ１１２）
お奨め情報管理部６３は、プライベートなお奨め情報を表示する表示期間を示す期間情報を含んでいるプライベートカードに、スケジュール管理部６１として機能するアプリケーションから取得したプライベートなスケジュール情報を補完して、ユーザ又は当該ユーザを含むグループのプライベートなお奨め情報を生成する。
【００８１】
（ステップＳ１１３）
お奨め情報管理部６３は、パブリックカードに基づくパブリックなお奨め情報、及びプライベートカードにプライベートなスケジュール情報を補完して生成したプライベートなお奨め情報を、表示部６５に表示する。
【００８２】
〔テレビジョン受像器５０の表示例について〕
図４の（ａ）、及び図４の（ｂ）は、テレビジョン受像器５０におけるお奨め情報の表示例を示す図である。テレビジョン受像器５０の受像器制御部６０は、表示制御部６４の機能により、ある所定のタイミングにおいて、少なくとも、パブリックなお奨め情報を含む複数のカードを、それぞれのカードに関連付けられた優先度に応じた表示部６５の表示位置に表示する。また、表示制御部６４は、ある別の所定のタイミングにおいて、パブリックなお奨め情報を含む複数のカードと、プライベートなお奨め情報を含む少なくとも１枚のカードとを、それぞれのカードに関連付けられた優先度に応じた表示部６５の表示位置に表示する。表示制御部６４は、プライベートなお奨め情報を含むカードを、パブリックなお奨め情報を含む複数のカードよりも優先順位が高い表示位置に表示する。
【００８３】
図４の（ａ）は、プライベートなお奨め情報が無い場合、又はプライベートなお奨め情報を表示するタイミングではない場合の、テレビジョン受像器５０におけるお奨め情報の表示例を示す図である。図４の（ａ）に示した例では、表示部６５には、お奨め情報を含むカードの表示位置が４つ設定されており、そのうち、優先順位が最も高い表示位置が画面左側となるように設定されている。つまり、表示制御部６４は、パブリックなお奨め情報を含む複数のカードのうち、優先順位が高い４つのカードを、左から順にお奨め順に並ぶように表示部６５に表示する。
【００８４】
パブリックなお奨め情報を含むカード５は、例えば、ユーザ又はユーザを含むグループの構成員の視聴履歴、及び視聴傾向に基づいて生成された、現在放送中、またはこれから放送される番組の情報を含むカードである。これらの番組の情報を含むカードである「番組Ａ」、「番組Ｂ」、「番組Ｃ」の情報を含むカードは、優先度に応じた表示位置において表示部６５に表示される。
【００８５】
また、パブリックなお奨め情報を含むカード５は、テレビジョン受像器５０とシステム連携されている他の電気機器に関する情報を含むカードであってもよい。テレビジョン受像器５０とシステム連携されている他の電気機器とは、例えば、テレビジョン受像器５０が設置されている家などの建物内で使用されている電気調理機器や冷蔵庫等の家電である。
【００８６】
情報処理装置１には、ユーザＩＤで対応付けて、テレビジョン受像器５０の機器情報、操作履歴、及び稼働履歴とともに、これらの他の電気機器の機器情報、操作履歴、及び稼働履歴が記憶されていてもよい。情報処理装置１の制御部１０は、パブリックカード生成部１２の機能により、これらの他の電気機器に関する情報を含むパブリックカードを生成することができてもよい。そして、テレビジョン受像器５０の表示部６５には、例えば、テレビジョン受像器５０とシステム連携されている電気調理機器で調理を行うための手順の情報を含む「レシピ」のカードが表示されてもよい。
【００８７】
また、ユーザが予め、お奨め情報として表示するカードの内容（例えば、天気予報や、トップニュース等）を設定しておくことも可能であり、表示部６５には、ユーザ設定に応じたカードがイベント情報を含むカードと共に表示されてもよい。
【００８８】
図４の（ｂ）は、プライベートなお奨め情報を表示するタイミングにおいて、プライベートなお奨め情報がある場合のテレビジョン受像器５０におけるお奨め情報の表示例を示す図である。図４の（ｂ）に示した例では、表示部６５に設定された、お奨め情報を含むカードの４つ表示位置のうち、優先順位が最も高い表示位置である画面左側の表示位置５Ａに、プライベートなお奨め情報を含むカードが表示されている。なお、プライベートなお奨め情報を含む複数のカードがある場合には、表示制御部６４は、プライベートなお奨め情報を含む複数カードを、パブリックなお奨め情報を含む複数のカードよりも優先順位が高い表示位置に、優先度に応じて順に表示してもよい。
【００８９】
プライベートなお奨め情報を含むカードは、ユーザ又は当該ユーザを含むグループのプライベートなスケジュール情報に関する情報を含むカードである。例えば、「健康診断」という日付情報を有するイベント情報がユーザ又は当該ユーザを含むグループのスケジュールに登録されている場合には、お奨め情報管理部６３によって、「来週はＤ病院で健康診断です」というプライベートなお奨め情報が生成される。お奨め情報管理部６３は、登録されているスケジュール情報が有する日付情報が示す日以前の日付、例えば、１週間前に、プライベートなお奨め情報を表示する表示期間を示す期間情報を含んでいるプライベートカードを用いてお奨め情報を生成する。
【００９０】
表示制御部６４は、プライベートカードに含まれている表示期間を示す期間情報に応じたタイミングで、お奨め情報管理部６３が生成したプライベートなお奨め情報を含む少なくとも１枚のカードを、パブリックなお奨め情報を含む複数のカードとともに、それぞれ優先順位に応じた表示位置に表示する。
【００９１】
表示制御部６４は、プライベートなお奨め情報を含む「来週はＤ病院で健康診断です」のカードを、パブリックなお奨め情報を含む「番組Ａ」、「番組Ｂ」、「レシピ」のカードよりも優先順位が高い表示位置に表示する。
【００９２】
なお、パブリックなお奨め情報を含むカードを表示するタイミング、及びプライベートなお奨め情報を含むカードを表示するタイミングは、ユーザが任意に設定することができてもよい。例えば、ユーザは、スケジュール情報が有する日付情報が示す日の３日前等の所定の日以前にプライベートなお奨め情報を含むカードをテレビジョン受像器５０の表示部６５に表示する設定を行うことができてもよい。また、ユーザは、前の週末に、次週の週末の予定に関するプライベートなお奨め情報を含むカードをテレビジョン受像器５０の表示部６５に表示する設定を行うことができてもよい。また、ユーザは、明日から一週間の予定に関するプライベートなお奨め情報を含むカードをテレビジョン受像器５０の表示部６５に表示する設定を行うことができてもよい。
【００９３】
また、情報処理装置１の制御部１０は、プライベートカード生成部１３の機能により、ユーザの視聴履歴、及びユーザの視聴傾向を参照して、プライベートなお奨め情報を含むカードがユーザの目に触れる可能性が高い日時に応じた、プライベートなお奨め情報を表示する表示期間を示す期間情報を含むプライベートカードを生成してもよい。
【００９４】
なお、プライベートカードに含まれている、プライベートなお奨め情報を含むカードを表示する表示期間を示す期間情報に応じた日時に、ユーザが外出していた等の理由により、テレビジョン受像器５０の電源がオンにされず、プライベートなお奨め情報を含むカードが表示できない場合がある。このような場合には、テレビジョン受像器５０の表示制御部６４は、その後、テレビジョン受像器５０の電源がオンにされたタイミングでプライベートなお奨め情報を含むカードを表示部６５に表示することができてもよい。
【００９５】
なお、プライベートなお奨め情報は、スケジュール管理部６１がスケジュールに登録したイベント情報に関する情報に限らず、スケジュール管理部６１がスケジュールに登録したイベント情報の内容に応じて、関連情報取得部６２が取得した情報から取得した情報を含んでいてもよい。例えば、目的地に関する情報を含む出張やお出掛けの予定等の日付情報を有するイベント情報がユーザ又は当該ユーザを含むグループのスケジュールに登録されている場合には、お奨め情報管理部６３は、関連情報取得部６２が取得した関連情報を参照して、スケジュールに登録されている目的地に関する番組の情報を含むプライベートなお奨め情報を生成してもよい。このように、プライベートなスケジュール情報を参照して関連情報から選択された情報を示すプライベートなお奨め情報を含むカードは、パブリックなお奨め情報を含むカードよりも優先順位が高い表示位置に表示される。
【００９６】
〔パブリックカードについて〕
図５は、情報処理装置１の制御部１０が、パブリックカード生成部１２の機能によって生成するパブリックカードの一例を示す図である。図５に示すように、パブリックカードには、個人又はグループの情報を参照することなく得られるパブリックなお奨め情報が含まれている。図５に示すように、パブリックカードには、
・カードの生成日時、
・カードが次にテレビジョン受像器５０によって取得されるまでタイミング、
・カードの種類（扱い区分、カテゴリ、サービス種別、ＩＤ等）、
・お奨め情報の内容（タイトル、表示文言、音声、画像等）、
・表示優先度、
・有効期間、及び
・表示タイミング
に関する情報が含まれている。
【００９７】
カードの種類には、お奨め情報が、テレビ番組であるのか、ＶＯＤであるのか、等の情報のカテゴリを示す情報が含まれている。お奨め情報の内容には、番組またはＶＯＤのタイトル、テレビジョン受像器５０の表示部６５に表示するお奨め情報を示す文言、テレビジョン受像器５０から音声出力するお奨め情報を示す音声データ（例えば、登場キャラクタのセリフ等）、お奨め情報を表す画像のサムネイル等が含まれている。
【００９８】
表示優先度は、例えば、１〜１０で示され、１を最も優先度が高いお奨め情報、１０を優先度が低いお奨め情報とする。有効期間は、当該パブリックカードに基づくパブリックなお奨め情報を、テレビジョン受像器５０の表示部６５に表示可能な有効期間に関する情報を含み、例えば数日間の期間が指定されていてもよい。表示タイミングは、上述の有効期間において、一日のどのタイミングで当該パブリックカードに基づくパブリックなお奨め情報を、テレビジョン受像器５０の表示部６５に表示可能であるかの情報を含んでいる。表示タイミングは、例えば、午前何時何分、午後何時何分と、一日に複数回設定されていてもよい。
【００９９】
〔プライベートカードについて〕
図６は、情報処理装置１の制御部１０が、プライベートカード生成部１３の機能によって生成するプライベートカードの一例を示す図である。図６に示すように、プライベートカードには、個人又はグループの情報を参照することなくしては得られないプライベートなお奨め情報を含まない一方で、プライベートなお奨め情報を表示する表示期間を示す期間情報が含まれている。
【０１００】
図６に示すように、プライベートカードには、
・カードの生成日時、
・カードが次にテレビジョン受像器５０によって取得されるまでタイミング、
・カードの種類（扱い区分、カテゴリ、サービス種別、ＩＤ等）、
・表示優先度、
・表示期間、及び
・表示タイミング
に関する情報が含まれている。
【０１０１】
カードの種類には、お奨め情報が、ユーザ個人又はユーザを含むグループのプライベートなスケジュール情報を参照して得られる情報であることを示す情報が含まれている。
【０１０２】
表示優先度は、例えば、１〜１０で示され、１を最も優先度が高いお奨め情報、１０を優先度が低いお奨め情報とする。有効期間は、当該プライベートカードに基づくプライベートなお奨め情報を、テレビジョン受像器５０の表示部６５に表示可能な有効期間に関する情報を含み、例えば数日間の期間が指定されていてもよい。表示タイミングは、上述の有効期間において、一日のどのタイミングで当該プライベートカードに基づくプライベートなお奨め情報を、テレビジョン受像器５０の表示部６５に表示可能であるかの情報を含んでいる。表示タイミングは、例えば、午前何時何分、午後何時何分と、一日に複数回設定されていてもよい。
【０１０３】
また、プライベートカードには、お奨め情報の内容を記すべきタイトル、表示文言、音声、画像等のフィールドが含まれている。これらのお奨め情報の内容を記すべきフィールドは、プライベートカードの生成時には空欄となっている。そして、これらの空欄部分は、テレビジョン受像器５０のお奨め情報管理部６３によって、スケジュール管理部６１が取得したユーザ又はユーザを含むグループの構成員のスケジュール情報を参照して補完される。
【０１０４】
更に、プライベートカードには、当該プライベートカードに基づくプライベートなお奨め情報を、テレビジョン受像器５０の表示部６５に表示する表示期間に関する期間情報が含まれている。期間情報には、当該プライベートカードに基づくプライベートなお奨め情報のテレビジョン受像器５０の表示部６５への表示開始予定時間と、表示終了予定時間とを含んでいる。
【０１０５】
また、プライベートカードには、お奨め情報管理部６３によって補完される、スケジュールの重要度を示す情報を記すフィールドが含まれている。表示制御部６４は、お奨め情報管理部６３が、プライベートカードの情報を補完し生成した、プライベートなお奨め情報における、スケジュールの重要度を示す情報を参照して、複数のプライベートなお奨め情報を含むカードの優先順位を決定してもよい。
【０１０６】
また、プライベートカードには、お奨め情報管理部６３が生成したプライベートなお奨め情報が、パブリックなお奨め情報と重複する場合には、優先度が一番高いお奨め情報のみを有効とすることが記されている。
【０１０７】
〔付記事項〕
なお、本実施形態では、テレビジョン受像器５０を一例とする端末装置は、スケジュールサーバ８０と通信し、スケジュールサーバ８０に記憶されている個人又はグループの情報を参照して得られるプライベートなお奨め情報を表示部６５に表示する構成について説明した。テレビジョン受像器５０を一例とする端末装置は、スケジュールサーバ８０に限らず、例えばＶＯＤ（Video On Demand）サーバ等と通信し、これらのサーバに記憶されている個人又はグループの情報を参照して得られるプライベートなお奨め情報を表示部６５に表示することができてもよい。ＶＯＤ（Video On Demand）サーバに記憶されている個人又はグループの情報は、例えば、個人又はグループのＶＯＤの視聴履歴に関する情報であり、端末装置は、個人又はグループの視聴履歴に参照して得られるプライベートなお奨め動画に関する情報を表示部６５に表示することができてもよい。
【０１０８】
〔実施形態２〕
上記各実施形態では、それぞれ１つの情報処理装置１、及びスケジュールサーバ８０を用いる例を説明したが、情報処理装置１、及びスケジュールサーバ８０がそれぞれ有する各機能が、個別のサーバにて実現されていてもよい。そして、複数のサーバを適用する場合においては、各サーバは、同じ事業者によって管理されていてもよいし、異なる事業者によって管理されていてもよい。
【０１０９】
〔実施形態３〕
情報処理装置１、及びスケジュールサーバ８０の各ブロックは、集積回路（ＩＣチップ）等に形成された論理回路（ハードウェア）によって実現してもよいし、ソフトウェアによって実現してもよい。後者の場合、情報処理装置１、及びスケジュールサーバ８０のそれぞれを、図７に示すようなコンピュータ（電子計算機）を用いて構成することができる。
【０１１０】
図７は、情報処理装置１、及びスケジュールサーバ８０として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えば１つ以上のプロセッサ（例えばＣＰＵ：Ｃｅｎｔｒａｌ  Ｐｒｏｃｅｓｓｉｎｇ  Ｕｎｉｔ等）、１つ以上のＲＡＭ（Ｒａｎｄｏｍ  Ａｃｃｅｓｓ  Ｍｅｍｏｒｙ）、１つ以上のハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１１１】
補助記憶装置９１４には、コンピュータ９１０を情報処理装置１、及びスケジュールサーバ８０として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、情報処理装置１、及びスケジュールサーバ８０が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【０１１２】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１１３】
〔まとめ〕
本発明の態様１に係るテレビジョン受像器（５０）は、受像器通信部（５５）と、表示部（６５）と、受像器制御部（６０）とを備えているテレビジョン受像器（５０）であって、受像器制御部（６０）は、ユーザ又は当該ユーザを含むグループの情報を参照することなく得られるパブリックなお奨め情報を、受像器通信部（５５）を介して取得し、パブリックなお奨め情報を表示部（６５）に表示させ、あるタイミングにおいて、個ユーザ又は当該ユーザを含むグループの情報を参照して得られるプライベートなお奨め情報を更に表示部（６５）に表示可能に構成されている。
【０１１４】
上記の構成によれば、煩雑な操作を必要とせず、パブリックなお奨め情報と、プライベートなお奨め情報とをユーザに提示することができる。
【０１１５】
本発明の態様２に係るテレビジョン受像器（５０）は、上記の態様１において、受像器制御部（６０）は、上記あるタイミングにおいて、上記パブリックなお奨め情報を含む複数のカードと、上記プライベートなお奨め情報を含む少なくとも１枚のカードとを、それぞれのカードに関連付けられた優先度に応じた表示位置に表示し、上記プライベートなお奨め情報を含むカードを、上記パブリックなお奨め情報を含む複数のカードよりも優先順位が高い表示位置に表示する構成としてもよい。
【０１１６】
上記の構成によれば、煩雑な操作を必要とせず、パブリックなお奨め情報と、プライベートなお奨め情報とをユーザに提示することができるとともに、プライベートなお奨め情報を含むカードを優先順位が高い表示位置に表示することができる。よって、ユーザにとって有益な情報を、ユーザにとって分かり易く表示することができる。
【０１１７】
本発明の態様３に係るテレビジョン受像器（５０）は、上記の態様１または２において、受像器制御部（６０）は、受像器通信部（５５）を介して、プライベートなお奨め情報を含まない一方で、プライベートなお奨め情報を表示する表示期間を示す期間情報を含んでいる一群のデータを取得し、受像器制御部（６０）は、上記期間情報によって指定される表示期間における少なくとも何れかのタイミングで上記プライベートなお奨め情報を表示する構成としてもよい。
【０１１８】
上記の構成によれば、煩雑な操作を必要とせず、パブリックなお奨め情報と、プライベートなお奨め情報とをユーザに提示することができる。
【０１１９】
本発明の態様４に係るテレビジョン受像器（５０）は、上記の態様１から３において、受像器制御部（６０）は、ユーザ又は当該ユーザを含むグループの情報を、当該テレビジョン受像器（５０）において実行される他のアプリケーションから取得し、ユーザ又は当該ユーザを含むグループの情報を参照して、上記プライベートなお奨め情報を生成する構成としてもよい。
【０１２０】
上記の構成によれば、テレビジョン受像器（５０）において実行される、例えばスケジュールアプリケーション等の他のアプリケーションからユーザ又は当該ユーザを含むグループのプライベートな情報を取得してプライベートなお奨め情報を生成することができ、煩雑な操作を必要とせず、パブリックなお奨め情報と、プライベートなお奨め情報とをユーザに提示することができる。
【０１２１】
本発明の態様５に係る情報処理システムは、テレビジョン受像器（５０）と、情報処理装置（１）とを含む情報処理システムであって、情報処理装置（１）は、ユーザ又は当該ユーザを含むグループの情報を参照することなく得られるパブリックなお奨め情報を、テレビジョン受像器（５０）に送信し、テレビジョン受像器（５０）は、受像器通信部（５５）と、表示部（６５）と、受像器制御部（６０）とを備えており、受像器制御部（６０）は、パブリックなお奨め情報を、受像器通信部（５５）を介して取得し、パブリックなお奨め情報を表示部（６５）に表示させ、あるタイミングにおいて、ユーザ又は当該ユーザを含むグループの情報を参照して得られるプライベートなお奨め情報を更に表示部（６５）に表示可能に構成されている。
【０１２２】
上記の構成によれば、煩雑な操作を必要とせず、パブリックなお奨め情報と、プライベートなお奨め情報とをユーザに提示することができる。
【０１２３】
本発明の態様６に係る表示方法は、ユーザ又は当該ユーザを含むグループの情報を参照することなく得られるパブリックなお奨め情報を送信する送信ステップと、パブリックなお奨め情報を、テレビジョン受像器（５０）にて取得する取得ステップと、取得ステップにて取得したパブリックなお奨め情報を表示部（６５）に表示させる表示ステップと、を含み、表示ステップでは、あるタイミングにおいて、ユーザ又は当該ユーザを含むグループの情報を参照して得られるプライベートなお奨め情報を更に表示部（６５）に表示する。
【０１２４】
上記の構成によれば、煩雑な操作を必要とせず、パブリックなお奨め情報と、プライベートなお奨め情報とをユーザに提示することができる。
【０１２５】
本発明の態様７に係る情報処理システムは、
テレビジョン受像器（５０）と、情報処理装置（１）と、スケジュールサーバ（８０）とを含む情報処理システムであって、上記情報処理装置（１）は、個人又はグループのプライベートな情報を参照することなく得られるパブリックなお奨め情報と、個人又はグループのプライベートな情報を参照して得られるプライベートなお奨め情報を含まない一方で、上記プライベートなお奨め情報を表示する表示期間を示す期間情報を含んでいる一群のデータと、をテレビジョン受像器（５０）に送信し、上記スケジュールサーバ（８０）は、個人又はグループのプライベートな情報をテレビジョン受像器（５０）に送信し、
テレビジョン受像器（５０）は、受像器通信部（５５）と、表示部（６５）と、受像器制御部（６０）とを備えており、受像器制御部（６０）は、上記パブリックなお奨め情報と、上記一群のデータと、上記個人又はグループのプライベートな情報とを、受像器通信部（５５）を介して取得し、上記パブリックなお奨め情報を表示部（６５）に表示させ、上記一群のデータに含まれる上記期間情報によって指定される表示期間における少なくとも何れかのタイミングで、個人又はグループのプライベートな情報を参照して得られるプライベートなお奨め情報を更に表示部（６５）に表示する。
【０１２６】
上記の構成によれば、煩雑な操作を必要とせず、パブリックなお奨め情報と、プライベートなお奨め情報とをユーザに提示することができる。
【０１２７】
本発明の態様に係るテレビジョン受像器の受像器制御部、及び情報処理装置は、コンピュータによって実現してもよく、この場合には、コンピュータを上記受像器制御部、及び情報処理装置がそれぞれ備える各部（ソフトウェア要素）として動作させることにより上記受像器制御部、及び情報処理装置をコンピュータにて実現させるテレビジョン受像器の制御プログラム、及び情報処理装置の制御プログラム、およびそれを記録したコンピュータ読み取り可能な記録媒体も、本発明の範疇に入る。
【０１２８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２９】
１  情報処理装置（サーバ、第１サーバ）
１０  制御部
１１  関連情報生成部
１２  パブリックカード生成部
１３  プライベートカード生成部
２０  通信部
３０  記憶部
５０  テレビジョン受像器（端末装置）
５５  受像器通信部（通信部）
６０  受像器制御部（制御部）
６１  スケジュール管理部
６２  関連情報取得部
６３  お奨め情報管理部
６４  表示制御部
６５  表示部
６７  受像器記憶部
８０  スケジュールサーバ（第２サーバ）
８１  サーバ通信部
８５  サーバ記憶部
８７  スケジュール情報
９０  サーバ制御部
【図１】
2020053764.tif 000003
【図２】
2020053764.tif 000004
【図３】
2020053764.tif 000005
【図４】
2020053764.tif 000006
【図５】
2020053764.tif 000007
【図６】
2020053764.tif 000008
【図７】
2020053764.tif 000009